(57)【要約】【課題】  所定断面を成して長手方向へ延びる固定部材の表面に所定の長尺部材を取付ける為のジョイント材の提供。【解決手段】  ジョイント材７は樹脂製とし、硬質樹脂で構成される基部１１の少なくとも両側縁部に軟質樹脂で構成される表面層１２ａ，１２ｂを形成し、そして該ジョイント材７の表面には複数本の突条１３，１３・・を設け、固定部材及び長尺部材に設けた凹溝９，１０に跨って嵌る。【選択図】    図３
2010048049.tif 000002
【特許請求の範囲】
【請求項１】
所定断面を成して長手方向へ延びる基材の表面に所定の長尺部材を取付ける構造において、上記基材には細幅の凹溝を全長にわたって設け、取付けられる長尺部材にも凹溝を全長にわたって形成し、樹脂製のジョイント材を上記基材及び長尺部材に設けた両凹溝に跨って嵌合し、該ジョイント材は硬質樹脂で構成される基部の少なくとも両側縁部に軟質樹脂で構成される表面層を形成し、そして該ジョイント材の表面には複数本の突条を設けたことを特徴とする長尺部材の取付け構造。
【請求項２】
上記基材をドアが装着される門形枠体の縦枠とし、長尺部材を該ドアが閉じた際のストッパーとなる戸当りとした請求項１記載の長尺部材の取付け構造。
【請求項３】
所定断面を成して長手方向へ延びる基材の表面に所定の長尺部材を取付ける為に、上記基材には細幅の凹溝を全長にわたって設け、取付けられる長尺部材にも凹溝を全長にわたって形成し、これら両凹溝に跨って嵌ることで長尺部材を基材に取付ける為のジョイント材において、ジョイント材は樹脂製とし、硬質樹脂で構成される基部の少なくとも両側縁部に軟質樹脂で構成される表面層を形成し、そして該ジョイント材の表面には複数本の突条を設けたことを特徴とするジョイント材。
【発明の詳細な説明】
【技術分野】
【０００１】
本発明はある長尺部材をガタ付くことなく安定して基材に取付けることが出来るジョイント材、及び該ジョイント材を使用した長尺部材の取付け構造に関するものである。
【背景技術】
【０００２】
基材にある部材を取付ける場合、最も一般的な取付け手段としては、クギ打ちやネジ止めである。しかし、クギ打ちする場合、又はネジ止めする場合には、その頭部は取付けられる部材の表面に露出してしまい、取付け構造の外観が損なわれる。そこで、頭部が表面に露出しないように別のカバー材を取付けたり、又は穴を設けて打ち込み、クギ打ち又はネジ止め後に該穴を埋めるように処理している。
【０００３】
図６はネジ止めにて部材Ａを部材Ｂに取着した具体例であり、ネジ（イ）は部材Ａを貫通して部材Ｂまで届いている。しかし、ネジ（イ）の頭部は部材Ａの表面に露出しており、この頭部が見えないように被覆する後処理が必要となる。部材Ａ、Ｂが長尺材であるならば、複数本のネジ（イ）、（イ）・・・の頭部が表面化することに成る。又、部材Ｂの表面に部材Ａを載置した状態でネジ止めする場合、該部材Ａはネジ止め工程中に位置ズレを発生することがある。例えば、該ネジが部材Ｂの表面に対して傾いた状態で締め付けられる場合、部材Ａは横ズレする。この横ズレは部材Ａをクギ打ちする場合には更に顕著に発生する。
【０００４】
図７は部材Ｂに部材Ａを取付けた別のジョイント構造を示している。部材Ｂの表面に凹溝を形成し、部材Ａには凸部（ロ）を設け、該凸部（ロ）を凹溝に嵌合すると共に、接着剤を介して外れないように固着している。このような取付け構造とするには、部材Ｂの表面に溝加工をしなくてはならず、又部材Ａには凸部（ロ）を設けなくてはならない。その為に、加工工数は高くなると共に寸法の大きな材料が必要となる。
【０００５】
一方、クギ打ち、ネジ止め、及び溝嵌めによって取付けられる部材Ａは部材Ｂに完全固定され、簡単に取外すことは出来ない。又、部材Ａが戸当りとすればドアを閉じた際の衝撃を吸収する作用はない。その為に、ドアの衝撃をダイレクトに受け、勿論、その反力はドアにも作用して該戸当り及びドア面にキズが付く。又、ドアが閉じた際に大きな衝撃音を発生する。従って、一般に、戸当り面には緩衝材を取付けている。
【０００６】
特開２００４−１２４４６４号に係る「戸当り及び戸当り構造」は、ドア枠等に取付けられる戸当りであって、ドア枠、引戸枠、及び開口無目枠が共通の枠材で構成され、ドア枠に戸当りを取付ける為の嵌合溝を設ける必要がなく、しかもドアを閉じた際に戸当りと均一に当るようにした戸当りである。
そこで、戸当りは基台とカバー材の２ピースで構成し、概略コ型断面の基台底片には幅方向に延びる長穴を形成し、カバー材は基台に係止して取付けられる。
【０００７】
特開平１１−３００７３号に係る「戸当り構造及びその取付方法」は、簡単な取付けで見栄えの良い戸当りを目的としている。
そこで、両側辺部に係止部が形成された細長い戸当たり受部と前記係止部に係合する係止部を有する戸当り部から構成された戸当り部材がドア枠材の正面に形成された凹状溝内に戸当たり受部のみが釘で固着されている。
【特許文献１】特開２００４−１２４４６４号に係る「戸当り及び戸当り構造」
【特許文献２】特開平１１−３００７３号に係る「戸当り構造及びその取付方法」
【発明の開示】
【発明が解決しようとする課題】
【０００８】
このように、ある基材に別の部材を取付ける構造は色々存在しているが、上記のごとき問題がある。本発明が解決しようとする課題はこの問題点であり、いたって簡単で、しかもガタ付くことなく安定して取付けられると共に必要に応じて取外し出来、一方、衝撃に対してもある程度対抗することが出来る取付け構造及びそのジョイント材を提供する。
【課題を解決するための手段】
【０００９】
本発明が取付けの対象とする部材は所定断面を有す長尺部材であり、該長尺部材の取付け構造は、樹脂製のジョント材を用いて構成している。ジョント材は帯状の長尺材であって、表面には複数本の小さな突条を連続して有し、少なくとも両側縁部の表面は軟質樹脂によって構成する表面層を形成している。基部は硬質樹脂で構成し、この基部の両側縁部に軟質樹脂の表面層が形成される。ここで、上記突条の断面形状は特に限定しないが、一般には三角形断面として先端が尖っている。
【００１０】
ところで、基材の表面には凹溝が設けられ、同じく取付けられる長尺部材側にも凹溝を形成している。基材の凹溝にジョイント材の約１／２が嵌り、基材表面から突出したジョイント材には取付けられる長尺部材に形成した凹溝が嵌合する。ジョント材の両側縁部の表面は軟質樹脂によって形成している為に、凹溝には多少圧縮変形して嵌ることが出来る。
【発明の効果】
【００１１】
本発明では取付けられる長尺部材は樹脂製のジョイント材を介して取付けられる。従って、基材及び取付けられる長尺部材には細幅の凹溝を設け、この凹溝にジョイント材が嵌合することで取付けることが出来る。該凹溝の幅寸法が多少違っても、表面に軟質樹脂で構成される表面層を設けていることで、ジョイント材はガタ付くことなく嵌合して取付けられ、必要に応じて取外しできる。
【００１２】
そして、ジョイント材は樹脂製である為に、取付けられる長尺部材に衝撃が作用した場合、該ジョイント材は変形することが出来、衝撃を吸収する効果がある。従って、ドアの戸当りの取付け構造として使用するならば、該戸当り及びドアに大きな衝撃が発生せず、ドア閉じる際の騒音が低下する。又、該ジョイント材によって衝撃を吸収する効果がある為に、従来のように大掛りな緩衝材を戸当り面に設けなくてもよい。
【実施例】
【００１３】
図１はドア１が半開き状態で門形枠体２に装着されている場合を示している。門形枠体２は上枠３と両縦枠４ａ，４ｂが枠組みして構成され、該ドア１は右側の縦枠４ｂに蝶番などの継手５，５を介して開閉可能に装着されている。ドア１の先端部には持ち手６が取付けられ、該持ち手６を握って開閉操作することが出来る。
【００１４】
ところで、左側縦枠４ａには戸当り６が取付けられ、ドア１を閉じると該戸当り６に当って停止する。図２は図１のＡ−Ａ断面拡大図であり、本発明に係るジョイント材７を介して戸当り６が取付けられている。縦枠４ａの表面８には細幅の凹溝９が切込まれ、戸当り６にも同じく細幅の凹溝１０が形成されていて、上記ジョイント材７は両凹溝９，１０に跨って嵌合している。
【００１５】
ここで、凹溝９は縦枠４ａの全長にわたって設けられ、同じく凹溝１０も戸当り６の全長にわたって形成している。戸当り６を縦枠４ａに取付ける場合、ジョイント材７を凹溝９に嵌め、表面８から突出しているジョイント材７に凹溝１０が嵌合して取付けられる。又は、戸当り６の凹溝１０にジョイント材７を前以て嵌めておき、凹溝１０から突出するジョイント材７の先端部を縦枠４ａの凹溝９に嵌める場合もある。このように、本発明では戸当り６がジョイント材７を介して取付けられるが、取付け対象となる長尺部材は実施例の戸当り６に限定しない。図２に示す戸当り６の取付け構造はあくまでも１具体例に過ぎない。
【００１６】
図３は上記ジョイント材７の断面を示している。ジョイント材７は樹脂製であり、しかも硬質樹脂で構成している基部１１と軟質樹脂で構成している表面層１２ａ，１２ｂで構成している。そして、ジョイント材７は一定幅の帯状体であり、その表面には複数本の小さな突条１３，１３・・が設けられている。同図に示すジョイント材７の突条１３は三角形断面を成して先端は尖っているが、必ずしもこの断面形状に限るものではない。
【００１７】
該突条１３，１３・・・は表面層１２ａ，１２ｂの表面と基部１１の表面にほぼ等間隔で設けられ、長手方向へ連続して延びている。同図のジョイント材７は軟質樹脂で構成している表面層１２ａ，１２ｂを両側縁部(図面では上下部)に設け、中央部１４は硬質樹脂で構成している基部１１が露出している。そして、露出した基部１１にも突条１３，１３・・を設けているが、中央部１４に該突条１３，１３・・を設けない場合もある。
【００１８】
前記図２に示しているように、ジョイント材７は縦枠４ａに形成した凹溝９に嵌合するが、該凹溝９には片側の表面層１２ｂ及び露出した基部１１の部分が嵌り、他方側の表面層１２ａの部分は表面８から突出することになる。そこで、戸当り６の凹溝１０には表面層１２ａの部分が嵌って取付けられる。縦枠４ａの凹溝９には硬質樹脂で構成している基部１１の中央部１４まで嵌合することでジョイント材７は外れにくく、戸当り６を取外す際にも該ジョイント材７が凹溝９から離脱することはない。
【００１９】
そこで、ドア１を閉じる際、該ドア１は戸当り６に当って停止するが、この際、戸当り６に作用する衝撃力Ｐは軟質樹脂で構成している表面層１２ａの圧縮変形及び基部１１の曲げ変形にて多少緩和される。従って、ドア１が戸当り６に当った際に発生する衝撃音も小さくなる。勿論、ドア１が当る戸当り６の当り面に１５に緩衝材を取付けることは自由であり、該緩衝材を設けることでジョイント材７にかかる負荷は更に軽減される。
【００２０】
図４は本発明に係る他の具体例であり、戸袋を構成している壁先端に先端部材１６がジョイント材７を介して取付けられている。引戸１７はスライドして出入口を開閉するが、引戸１７が出入口を開く場合には両壁によって構成されている戸袋に収容され、同図に示すように引戸１７が閉じた際には、該引戸１７の戸尻は固定部材と該固定部材に取付けられている先端部材１６にガイドされる。その為に、引戸１７がレールから外れても転倒することはない。又、この先端部材１６にて戸袋内部が見えないように被覆することが出来る。
【００２１】
ところで、該先端部材１６はビス止めしたり、クギ打ちにて固定したのでは、引戸１７を外す際に邪魔になる。本発明では、該先端部材１６をジョイント材７を介して取付けることで、何時でも簡単に取外し出来る取付け構造としている。図５は先端部材１６が壁先端に設けている固定部材１８にジョイント材７を介して取付けた断面拡大図である。ここで、固定部材１８及び先端部材１６は四角形断面の長尺材であり、ジョイント材７は前記図３に示す長尺材としている。
【００２２】
そこで、図５に示すようにジョイント材７は固定部材１８に形成している凹溝９と先端部材１６に形成している凹溝１０にほぼ均等に嵌って、先端部材１６が取付けられている。
【図面の簡単な説明】
【００２３】
【図１】ドアを装着した門形枠体。
【図２】図１のＡ−Ａ断面拡大図。
【図３】本発明に係るジョイント材の実施例。
【図４】引戸装置。
【図５】引戸装置の壁先端に設けられる先端部材の取付け構造。
【図６】ネジ止めにて部材Ａを部材Ｂに取付けた具体例。
【図７】従来の戸当りの取付け構造。
【符号の説明】
【００２４】
１  ドア
２  門形枠体
３  上枠
４  縦枠
５  継手
６  持ち手
７  ジョイント材
８  表面
９  凹溝
10  凹溝
11  基部
12  表面層
13  突条
14  中央部
15  当り面
16  先端部材
17  引戸
18  固定部材
【図１】
2010048049.tif 000003
【図２】
2010048049.tif 000004
【図３】
2010048049.tif 000005
【図４】
2010048049.tif 000006
【図５】
2010048049.tif 000007
【図６】
2010048049.tif 000008
【図７】
2010048049.tif 000009